(57)【要約】【課題】様々な形態の間仕切りパターンを実現可能な移動間仕切り装置を提供する。【解決手段】互いに離間する少なくとも一対の第１ハンガーレール１００と、一対の第１ハンガーレール１００にそれぞれ設けられ、該第１ハンガーレール１００に沿って移動可能な第１ランナ１２０と、延在方向における両端部が、第１ランナ１２０により吊り下げ支持された第２ハンガーレール２００と、第２ハンガーレール２００に設けられ、該第２ハンガーレール２００に沿って移動可能であり、且つ複数の間仕切りパネル３００を吊り下げ支持する複数の第２ランナ２２０とを備えた。【選択図】図２
2019105068.tif 000002
【特許請求の範囲】
【請求項１】
互いに離間する少なくとも一対の第１レールと、
前記一対の第１レールにそれぞれ設けられ、該第１レールに沿って移動可能な第１ランナと、
延在方向における両端部が、前記第１ランナにより吊り下げ支持された第２レールと、
前記第２レールに設けられ、該第２レールに沿って移動可能であり、且つ複数のパネルを吊り下げ支持する複数の第２ランナと
を備えることを特徴とする移動間仕切り装置。
【請求項２】
前記第２レールと着脱自在に連結する第３レールを更に備え、
前記複数の第２ランナは、前記第２及び第３レールが連結された場合、該第２及び第３レール間を移動する
ことを特徴とする請求項１記載の移動間仕切り装置。
【請求項３】
前記第２及び第３レールにおけるそれぞれの連結部分には、前記第２ランナが通過可能な連通孔が設けられており、少なくとも一方のレールの連結部分には、該連通孔の少なくとも一部を閉塞または開放可能な開閉体が設けられる
ことを特徴とする請求項２記載の移動間仕切り装置。
【請求項４】
前記第２及び第３レールにおける一方のレールの連結部分に前記開閉体が設けられた場合、他方のレールの連結部分には、閉状態にある該開閉体をレールの連結時に開状態にする開放体が設けられる
ことを特徴とする請求項３記載の移動間仕切り装置。
【請求項５】
前記開閉体は、上下方向に移動可能な柱状をなし、その上端部がその下方より略水平方向に突出する突出部が形成されており、
前記開放体は、前記第２及び第３レールを連結するために接近させる際、前記突出部の側面と下面とからなる隅部に当接し、該当接を維持した状態での更なるレール間の接近に伴い前記開閉体を上方へ移動させる傾斜部を有する
ことを特徴とする請求項４記載の移動間仕切り装置。
【請求項６】
少なくとも２つの前記第２ランナが所定の距離離間して対をなし、該一対の第２ランナにより１つの前記パネルが吊り下げ支持され、
前記第３レールは、複数の前記一対の第２ランナと共に複数のパネルをその厚み方向に重ねて格納可能に、前記所定の距離離間して少なくとも一対設けられる
ことを特徴とする請求項２〜請求項５のいずれか一項に記載の移動間仕切り装置。
【請求項７】
互いに離間する一対の第４レールを更に備え、
前記第１ランナは、前記第１レール及び前記第４レールにそれぞれ移動可能に設けられており、
前記第３レールは、その延在方向における両端部が、前記一対の第４レールそれぞれの第１ランナにより吊り下げ支持される
ことを特徴とする請求項２〜請求項６のいずれか一項に記載の移動間仕切り装置。
【発明の詳細な説明】
【技術分野】
【０００１】
本発明は、天井に設けられたハンガーレールに沿って間仕切りパネルを移動させることにより、室内空間の間仕切りを行う移動間仕切り装置に関する。
【背景技術】
【０００２】
オフィスやホテル、結婚式場、店舗、学校、公共施設、体育館などの大きな空間は、使用人数や使用目的など、様々な状況に応じて、その大きさのまま使用されたり、仕切っていくつかの小さい空間として使用されたりする。このように、状況に応じて部屋の大きさや形状を変更することができるものとして移動間仕切り装置が用いられている。移動間仕切り装置は、固定部材を介して天井に支持されたハンガーレール内を移動するランナに間仕切りパネルが吊下げ支持されることによって構成されている。間仕切りパネルの移動は、人が間仕切りパネルを持ってこれを押し引きし、間仕切りパネルに移動方向の推進力を加えることによって行う。間仕切りパネルに推進力を加えることにより、ランナがハンガーレールに沿って移動するため、間仕切りパネルをハンガーレールに沿った所望の位置に移動させて配置することができる。
【０００３】
このような移動間仕切り装置としては、下記特許文献１に示されるものがある。これに示される移動間仕切り装置は、天井側に設けられた互いに平行な一対の直線状レールと、該レールに対して平面視直交状に配設される間仕切り壁と、該間仕切り壁を吊下支持する吊下構造体と、を有し、該吊下構造体が上記レールに沿って走行し上記間仕切り壁を厚み方向に移動するように構成されている。これによれば、間仕切り壁を厚み方向に平行移動するのみで配置が完了するため、簡単かつ迅速に間仕切りを行え、また、直線的にのみ走行可能な吊下構造体で間仕切り壁を吊り下げることができ、簡素な構造となって故障の低減が実現できる。
【先行技術文献】
【特許文献】
【０００４】
【特許文献１】特開２０１１−１４０７４７号公報
【発明の概要】
【発明が解決しようとする課題】
【０００５】
しかしながら、上述した移動間仕切り装置は、間仕切り壁が１枚の大型のパネルで構成されたものであるため、室内空間を２つに分けるという１つの形態の間仕切りパターンしか実現することができないという問題があった。
【０００６】
本発明は上述した問題点を解決するためになされたものであり、様々な形態の間仕切りパターンを実現可能な移動間仕切り装置を提供することを目的とする。
【課題を解決するための手段】
【０００７】
上述した課題を解決するため、本発明の一態様は、互いに離間する少なくとも一対の第１レールと、前記一対の第１レールにそれぞれ設けられ、該第１レールに沿って移動可能な第１ランナと、延在方向における両端部が、前記第１ランナにより吊り下げ支持された第２レールと、前記第２レールに設けられ、該第２レールに沿って移動可能であり、且つ複数のパネルを吊り下げ支持する複数の第２ランナとを備える。
【発明の効果】
【０００８】
本発明によれば、様々な形態の間仕切りパターンを実現可能な移動間仕切り装置を提供することができる。本発明のその他の効果については、以下の発明を実施するための形態の項でも説明する。
【図面の簡単な説明】
【０００９】
【図１】第１の実施形態に係る移動間仕切り装置を室内空間に設けた状態を示す概略平面図である。
【図２】図１に示されるＡ−Ａ線断面図である。
【図３】図１に示されるＢ−Ｂ線断面図である。
【図４】第１の実施形態に係る移動間仕切り装置が備える第１ハンガーレールと第２ハンガーレールとの取付構造の他の形態を示す部分縦断面図である。
【図５】第２の実施形態に係る移動間仕切り装置を室内空間に設けた状態を示す概略平面図である。
【図６】第２の実施形態に係る移動間仕切り装置が備える格納ハンガーレールを説明するための部分縦断面図である。
【図７】第２の実施形態に係る移動間仕切り装置が備える第２ハンガーレールと格納ハンガーレールとを連結した状態を示す部分縦断面図である。
【図８】第２の実施形態に係る移動間仕切り装置が備える第２ハンガーレールと格納ハンガーレールとを連結して間仕切りパネルを格納ハンガーレールに移動させている状態を示す概略平面図である。
【図９】第３の実施形態に係る移動間仕切り装置を室内空間に設けた状態を示す概略平面図である。
【図１０】第３の実施形態に係る移動間仕切り装置が備えるストッパ装置を説明するための部分縦断面図である。
【図１１】（ａ）は第３の実施形態に係るストッパ装置が有するストッパピンを、（ｂ）はストッパ装置が有する解除体をそれぞれ示す平面図である。
【図１２】第３の実施形態に係る移動間仕切り装置が備える第２ハンガーレールと格納ハンガーレールとが連結するに際し、ストッパ装置が有するストッパピンが上方に移動する状態を示す部分縦断面図である。
【図１３】第３の実施形態に係る第２ハンガーレールと格納ハンガーレールとが連結し、ストッパピンが上方に移動し終えた状態を示す部分縦断面図である。
【図１４】第４の実施形態に係る移動間仕切り装置を室内空間に設けた状態を示す概略平面図である。
【図１５】第４の実施形態に係る移動間仕切り装置が備える第２ハンガーレールと格納ハンガーレールとが連結するに際し、ストッパ装置が有するストッパピンが上方に移動する状態を示す部分縦断面図である。
【図１６】第４の実施形態に係る第２ハンガーレールと格納ハンガーレールとが連結し、ストッパピンが上方に移動し終えた状態を示す部分縦断面図である。
【図１７】第５の実施形態に係る移動間仕切り装置を室内空間に設けた状態を示す概略平面図である。
【図１８】第５の実施形態に係る移動間仕切り装置が備える延長ハンガーレールにのみ、間仕切りパネルが吊り下げられた状態を示す概略平面図である。
【図１９】第６の実施形態に係る移動間仕切り装置を示す概略平面図である。
【発明を実施するための形態】
【００１０】
＜第１の実施形態＞
以下、本発明に係る第１の実施形態について図面を参照しつつ説明する。なお、本明細書及び図面において、実質的に同一の機能を有する構成要素については、同一の符号を付することにより重複説明を省略する。
【００１１】
（装置構成）
先ず、本実施形態に係る移動間仕切り装置の構成について説明する。図１は、第１の実施形態に係る移動間仕切り装置を室内空間に設けた状態を示す概略平面図であり、図２は図１に示されるＡ−Ａ線断面図、図３は図１に示されるＢ−Ｂ線断面図である。なお、図２及び図３においては、後述する第１ランナ１２０及び第２ランナ２２０が断面で示されておらず、その側方からみた状態が示されている。
【００１２】
図１に示されるように、本実施形態に係る移動間仕切り装置１０は、室内空間１における図示しない天井面で支持される直線状に延在した一対の第１ハンガーレール１００と、一対の第１ハンガーレール１００により吊下げ支持される直線状に延在した第２ハンガーレール２００と、第２ハンガーレール２００により吊り下げ支持される間仕切りパネル３００と、第１ハンガーレール１００と第２ハンガーレール２００とを連結する連結部材４００（図２参照）と、と、を備えて構成される。以下、これらの移動間仕切り装置１０の各構成要素について詳細に説明する。
【００１３】
（第１ハンガーレール１００）
第１ハンガーレール１００は、図２及び図３に示されるように、その内壁に沿って移動する第１ランナ１２０が走行可能な走行経路を形成するものであり、第１ランナ１２０を内部に収容可能な内部空間１０２を画成するように下方の一部が開放された断面略Ｃ字状に形成されている。第１ハンガーレール１００の下部には、その上面が第１ランナ１２０の走行面となる一対のリブ１０４が形成されており、このリブ１０４には、下方へ垂下すると共にその先端が互いに離間する方向に折れ曲がった断面略Ｌ字状のパネル載置部１０６が設けられている。このパネル載置部１０６に図示しない天井パネルの縁部が載置される。本実施形態においては、この一対の第１ハンガーレール１００が、室内空間１の側壁沿いに互いに平行して設けられている。
【００１４】
第１ランナ１２０は、図２及び図３に示されるように、１つの第１ハンガーレール１００における各リブ１０４上にそれぞれ２個ずつ当接する、計４つのローラ１２２を有する。４つのローラ１２２はそれぞれ、図示しない水平方向に延在する支軸周りで回転、即ち縦回転することによりリブ１０４上を走行する。これら４つのローラ１２２の略中央には、下方へ延在する吊ボルト１２４が設けられており、連結部材４００を介して第２ハンガーレール２００を吊り下げ支持している。具体的には、第１ランナ１２０は一対の第１ハンガーレール１００にそれぞれ設けられて対をなし、第２ハンガーレール２００の両端部を吊り下げ支持している。なお、第１ランナ１２０は、第２ハンガーレール２００を支持するものであるため、第２ハンガーレール２００が有する後述する第２ランナ２２０と比較して高い耐荷重性を有するものを用いることが好ましい。
【００１５】
（第２ハンガーレール２００）
第２ハンガーレール２００は、図２及び図３に示されるように、その内壁に沿って移動する第２ランナ２２０が走行可能な走行経路を形成するものであり、第２ランナ２２０を内部に収容可能な内部空間２０２を画成するように下方の一部が開放された断面略Ｃ字状に形成される。第２ハンガーレール２００の下部には、その上面が第２ランナ２２０の走行面となる一対の下方リブ２０４が形成されており、一対の下方リブ２０４上方には、その上面が第２ランナ２２０の走行面となる一対の上方リブ２０６が内部空間２０２内へ突出するように設けられている。本実施形態における第２ハンガーレール２００は、図１に示されるように、その延在方向が第１ハンガーレール１００の延在方向に直交するように位置付けられ、一対の第１ランナ１２０により両端部が吊り下げ支持される。
【００１６】
第２ランナ２２０は、図２に示されるように、第２ハンガーレール２００の内部空間２０２内に配設された支軸２２２の上端部に、所定の間隔を空けて上下方向に連なる一対のローラ２２４が水平方向へ回転自在に設けられて構成されている。一対のローラ２２４は、一方が上方リブ２０６の一方側（図２によれば右側）のみと当接し、他方が下方リブ２０４の他方側（図２によれば左側）のみと当接している。これにより、一対のローラ２２４は各リブ上を走行して、第２ハンガーレール２００に沿って移動可能となっている。支軸２２２は、その下端部が間仕切りパネル３００と連結されてこれを支持している。
【００１７】
第２ランナ２２０は、図３に示されるように２つが所定の距離離間して対をなし、間仕切りパネル３００を協働して吊り下げ支持している。本実施形態においては、複数の対をなした第２ランナ２２０が第２ハンガーレール２００に設けられており、したがって複数の間仕切りパネル３００が移動可能に吊り下げ支持される。
【００１８】
（間仕切りパネル３００）
間仕切りパネル３００は、２つの第２ランナ２２０により吊り下げ支持されており、図１に示されるように、長手方向における一端部の幅が狭く、即ち平面視において凸状に形成されている。一方、長手方向における他端部は当該一端部と嵌合可能に平面視で凹状に形成されており、隣接する他の間仕切りパネル３００と連結することができる。なお、図１における符号３００ａ，３００ｂは、接手３００ｃにより連結されて一体となった間仕切りパネルを示しており、間仕切りパネル３００ａが一対の第２ランナ２２０で支持され、間仕切りパネル３００ｂが１つの第２ランナ２２０で支持されて接手３００ｃを軸に回動可能となっている。
【００１９】
（連結部材４００）
連結部材４００は、図２に示されるように、内部空間４０２を画成する上方の一部が開放された断面略Ｃ字状に形成されたレール状の鋼材である。この連結部材４００は、第２ハンガーレール２００の上方に位置して第２ハンガーレール２００と同一方向に延在しており、その底面は第２ハンガーレール２００と相対移動不能に固定されている。連結部材４００上方の開放部分における一対のリブ部４０４は、２枚の支持板４０６により上下で挟み込まれており、当該支持板４０６を上下で挟持するよう２つのナット４０８が吊ボルト１２４に螺合することにより吊ボルト１２４に対して相対移動不能に固定されている。この連結部材４００を介して第１ランナ１２０と第２ハンガーレール２００とが連結されることにより、第１ランナ１２０と第２ハンガーレール２００との連結を強固なものとすることができ、第２ハンガーレール２００のレベルを保つことができる。
【００２０】
（装置動作）
次に、本実施形態に係る移動間仕切り装置１０の動作について説明する。上述したとおり、第２ハンガーレール２００は第１ハンガーレール１００にそれぞれ設けられた第１ランナ１２０により吊り下げ支持されている。これにより第２ハンガーレール２００は、第１ランナ１２０と共に、第１ハンガーレール１００の延在方向、即ち図１にて大矢印で示される図１中左右方向に沿って移動することができる。また、第２ハンガーレール２００は複数の間仕切りパネル３００を吊り下げ支持している。そのため、第２ハンガーレール２００の移動に応じて、複数の間仕切りパネル３００を一枚パネルのように移動させることが可能となる。さらに、複数の間仕切りパネル３００のそれぞれは、第２ハンガーレール２００に設けられた２つの第２ランナ２２０により吊り下げ支持されている。これにより間仕切りパネル３００は、第２ランナ２２０と共に、第２ハンガーレール２００の延在方向、即ち図１にて小矢印で示される図１中上下方向（図１中縦方向）に沿って移動することができるため、間仕切りパネル３００を図１中上下左右の４方向の自由度を持って移動させることができる。
【００２１】
以上に説明した本実施形態によれば、複数の間仕切りパネル３００を一枚パネルのように第１ハンガーレール１００の延在方向に沿って移動させることができると共に、第２ハンガーレールの延在方向に沿っても移動させることができ、したがって計４方向の自由度を持って移動させることができるため、間仕切りパネル３００により間仕切り（区分け）される室内空間１の図１中左右方向広さを任意の割合で変更することができる。また、複数の間仕切りパネル３００を第２ハンガーレール２００が個別に移動可能に支持することができるため、例えば２つの間仕切りパネル３００を離間させて位置付けることもでき、多様な間仕切りパターンを実現することが可能となる。
【００２２】
また、第２ハンガーレール２００は、第１ハンガーレール１００の第１ランナ１２０により吊り下げ支持されているため、天井パネル下方に位置している。したがって第２ハンガーレール２００や第２ランナ２２０、間仕切りパネル３００のメンテナンスや取り換え、取り付け、取り外し等の作業を極めて容易に行うことができる。
【００２３】
なお、本実施形態においては、第１ハンガーレール１００及び第２ハンガーレール２００が直線状に形成されると説明したが、これに限定されるものではなく、曲線状、Ｌ字状等様々な形態のものを用いるようにしてもよい。
【００２４】
また、本実施形態においては、第２ハンガーレール２００を吊り下げ支持する第１ランナ１２０として、第２ランナ２２０より耐荷重性が高いものを用いると説明したが、これに限定されるものではない。第２ハンガーレール２００及び間仕切りパネル３００の移動に際して、これらの落下や走行性が低下する等の問題が無ければ、図４に示されるように、第１ランナ１２０の代わりに第２ランナ２２０を用いるようにしてもよい。この場合、第１ハンガーレール１００に代えて第２ハンガーレール２００を用いることとなる。また、第２ランナ２２０の代わりに第１ランナ１２０を用いるようにしてもよいことは言うまでもない。
【００２５】
また、本実施形態においては、第１ランナ１２０と第２ハンガーレール２００との間に連結部材４００を介在させると説明した。しかしながら、使用するハンガーレールの強度や間仕切りパネル３００の重量等を考慮して間仕切りパネル３００及び第２ハンガーレール２００の移動に支障をきたさないのであれば、図４に示されるように連結部材４００を省略するようにしてもよい。ここでは、第１ランナ１２０の代わりに第２ランナ２２０が設けられているため、当該第２ランナ２２０の支軸２２２下端部が第２ハンガーレール２００の内部空間２０２内に挿通されると共に、当該内部空間２０２内においてナット４０８が螺合されることにより、下方の第２ハンガーレール２００が吊り下げ支持されている。この形態によれば、上下２つのランナ２２０及び／またはレール２００を共通化し、連結部材４００を必要としない分、低コスト化及び施工時間の短縮を実現することができる。
【００２６】
また、本実施形態においては、第１ハンガーレール１００を一対設けたが、これに限定されるものではなく、第１ハンガーレール１００を３つ以上設け、第２ハンガーレール２００を２つ以上設けるようにしてもよい。例えば一対の第１ハンガーレール１００間中央に、当該レールと平行に延在する第１ハンガーレール１００として中央ハンガーレールを更に設けてもよい。このようにレールを配設することにより、一対の第１ハンガーレール１００の一方と中央ハンガーレールとで１つの第２ハンガーレール２００を支持させ、一対の第１ハンガーレール１００の他方と、中央ハンガーレールとで別の第２ハンガーレール２００を支持させることができる。これによれば、２つの第２ハンガーレール２００を個別に、又は連結して用いることができ、間仕切りパターンを更に多様なものとすることができる。
【００２７】
例えば、円形の第１ハンガーレール１００を一対の第１ハンガーレール１００間に連結させ、第２ハンガーレール２００を回転可能とすることもでき、複数の第１ハンガーレール１００を直交及び／または多方向に延在するよう連結させることで第２ハンガーレール２００の多方向への移動を実現させてもよい。なお、第２ハンガーレール２００の多方向への移動を行う場合には、間仕切りパネル３００が第２ハンガーレール２００の一端部において固定されるようにし、当該間仕切りパネル３００を操作体として第２ハンガーレール２００を移動させることが好ましい。この間仕切りパネル３００の固定方法としては、第２ハンガーレール２００の延在方向一端部において第２ランナ２２０が乗り上げ可能な突起を下方または上方リブ２０４，２０６に設け、突起を乗り上げた後に第２ランナ２２０の移動が突起により阻害される手法や、第２ハンガーレール２００と第２ランナ２２０とに磁石を設けて接着固定する手法等、第２ランナ２２０の移動を適度に阻害可能な方法であればよい。
【００２８】
＜第２の実施形態＞
前述した第１の実施形態では、第２ハンガーレール２００が複数の間仕切りパネル３００を吊り下げ支持すると説明したが、間仕切りパターンの変更に伴い、一部の間仕切りパネル３００が不要となった場合には、間仕切りパネル３００を取り外す作業を行うこととなる。しかしながら、第２ハンガーレール２００に連結可能なハンガーレールを別途設け、当該ハンガーレールに不要となった間仕切りパネル３００を一時的に格納するようにしてもよい。以下、図５〜図８を用いて本実施形態に係る移動間仕切り装置について説明する。
【００２９】
図５は第２の実施形態に係る移動間仕切り装置を室内空間に設けた状態を示す概略平面図であり、図６は第２の実施形態に係る移動間仕切り装置が備える格納ハンガーレールを説明するための部分縦断面図である。図７は第２の実施形態に係る移動間仕切り装置が備える第２ハンガーレールと格納ハンガーレールとを連結した状態を示す部分縦断面図であり、図８は第２の実施形態に係る移動間仕切り装置が備える第２ハンガーレールと格納ハンガーレールとを連結して間仕切りパネルを格納ハンガーレールに移動させている状態を示す概略平面図である。なお、図５及び図８に示される符号Ｃは、室内空間１に設けられた柱を示す。
【００３０】
図５に示されるように、本実施形態に係る移動間仕切り装置２０は、柱Ｃの近傍に格納ハンガーレール５００が設けられており、且つ格納ハンガーレール５００と連結可能な第２ハンガーレール２００’が第２ハンガーレール２００に代わり設けられている点で、第１の実施形態に係る移動間仕切り装置１０と異なる。以下、第２ハンガーレール２００’及び格納ハンガーレール５００の構成について詳細に説明する。
【００３１】
（第２ハンガーレール２００’）
第２ハンガーレール２００’は、図６に示されるように、格納ハンガーレール５００と連結するために、当該連結箇所に内部空間２０２と連通する連通孔２０８が形成されており、これ以外は第２ハンガーレール２００と同一の構成を有する。
【００３２】
（格納ハンガーレール５００）
格納ハンガーレール５００は、第２ハンガーレール２００’と同じ高さとなるように天井面で固定されて第２ハンガーレール２００’と連結可能にされたものであり、第２ハンガーレール２００’と同一の構成を有する。したがって、第２ハンガーレール２００’と格納ハンガーレール５００とが連結された際には、当該レール間での第２ランナ２２０の移動が可能となる。格納ハンガーレール５００は、図５に示されるように、２つのレールが互いに平行に離間して対をなすよう配置された格納部５２０と、２つのレールがＬ字状に連結された連絡部５４０とを形成するよう配設されている。
【００３３】
格納部５２０は、一対の格納ハンガーレール５００が、間仕切りパネル３００を支持する一対の第２ランナ２２０の離間距離に対応した距離を空けて互いに離間しており、したがって複数の間仕切りパネル３００をその厚み方向に重ねて吊り下げ支持することができる（図８参照）。
【００３４】
連絡部５４０は、格納部５２０−第２ハンガーレール２００’間を連絡するものであり、一方の直線状のレールが格納部５２０における一端に連結されて他方の直線状のレールが第１ハンガーレール１００の下方に位置付けられている。なお、この第１ハンガーレール１００下方に位置する格納ハンガーレール５００を格納ハンガーレール５００ａと称して以後説明を行う。格納ハンガーレール５００ａは、第１ハンガーレール１００に吊り下げるか、あるいは天井面に支持されており、第２ハンガーレール２００’と連結可能にされている。具体的には、図６に示されるように、この格納ハンガーレール５００ａには、格納ハンガーレール５００の内部空間に連通する連通孔５０８が形成されており、図７に示されるように第２ハンガーレール２００’と格納ハンガーレール５００ａとが連結することにより、連通孔５０８と第２ハンガーレール２００’の連通孔２０８とが連通し、第２ランナ２２０が格納ハンガーレール５００−第２ハンガーレール２００’間を移動可能となる。
【００３５】
なお、ここでのレール間の連結は、第２ランナ２２０がレール間を移動可能な状態を指し、連通孔２０８，５０８の縁同士が当接または近接等することにより実現される。当該連結は、例えば双方の連通孔２０８，５０８縁に凹凸部を設けて互いに嵌合することにより実現するようにしてもよく、既存の連結部材により双方のレールを連結するようにしてもよい。
【００３６】
以上に説明した本実施形態によれば、第２ハンガーレール２００’と格納ハンガーレール５００とを連結させることにより、図８に示されるように間仕切りパネル３００を連絡部５４０を介して格納部５２０へ移動させることができる。これにより、間仕切りパターンの変更等により不要となった間仕切りパネル３００を格納部５２０に格納しておくことができ、間仕切りパターンをさらに多様なものとすることができる。さらに、間仕切りパネル３００をその厚み方向に重ねてコンパクトに格納することができるため、室内空間１を無駄なく有効に活用することができる。これは、図８に示されるように柱Ｃによって第２ハンガーレール２００’の移動が規制される場合、当該規制により生じるデッドスペースに格納ハンガーレール５００、特に格納部５２０を位置付けることでデッドスペースを有効に活用できるため、顕著な効果を奏することができる。
【００３７】
なお、本実施形態においては格納部５２０が連絡部５４０を介して第２ハンガーレール２００’と連結されて第２ランナ２２０が移動可能となっているが、連絡部５４０を除いて直接格納部５２０と第２ハンガーレール２００’とが連結されるようにしてもよい。この場合、第２ハンガーレール２００’には格納部５２０を形成する一対の格納ハンガーレール５００それぞれの連通孔と連結するための連通孔が当然２つ形成されることとなる。
【００３８】
＜第３の実施形態＞
前述した第２の実施形態では、第２ハンガーレール２００’と格納ハンガーレール５００ａとに連通孔２０８，５０８を設け、これらの連通孔２０８，５０８を第２ランナ２２０が通過することで両レール間の間仕切りパネル３００の移動がなされると説明したが、この連通孔２０８，５０８を閉塞または開放するストッパ装置を設けるようにしてもよい。以下、図９〜図１３を用いて本実施形態に係る移動間仕切り装置について説明する。
【００３９】
図９は第３の実施形態に係る移動間仕切り装置を室内空間に設けた状態を示す概略平面図であり、図１０は第３の実施形態に係る移動間仕切り装置が備えるストッパ装置を説明するための部分縦断面図である。図１１（ａ）は第３の実施形態に係るストッパ装置が有するストッパピンを、（ｂ）はストッパ装置が有する解除体をそれぞれ示す平面図である。
【００４０】
図９及び図１０に示されるように、本実施形態に係る移動間仕切り装置３０は、第２ハンガーレール２００’と格納ハンガーレール５００ａとにかけてストッパ装置６００が設けられている点で、第２の実施形態に係る移動間仕切り装置２０と異なる。以下、ストッパ装置６００の構成について詳細に説明する。
【００４１】
ストッパ装置６００は、第２ランナ２２０の脱落を防止する脱落防止機能と、この機能を解除する解除機能とを実現するものであり、図９及び図１０に示されるように、ストッパピン６２０と解除体６４０とを有する。ストッパ装置６００は、これらが個別に第２ハンガーレール２００’及び格納ハンガーレール５００ａに設けられた状態でレールの連結／連結解除がなされることで上記機能を果たすことができる。
【００４２】
ストッパピン６２０は、図１０及び図１１（ａ）に示されるように、上下方向に延在する円柱形状に形成された円柱部６２２と、その上端部に設けられ、円柱部６２２と比較して拡径した拡径部６２４とからなる、縦断面略Ｔ字状に形成されている。本実施形態においてストッパピン６２０は、図９に示されるように格納ハンガーレール５００ａの先端における幅方向略中央の位置において、上方から差し込まれる形で挿脱可能に設けられている。これにより、ストッパピン６２０の円柱部６２２下端部が格納ハンガーレール５００ａの内部空間内に進入し、連通孔５０８が一部閉塞されて当該連通孔５０８からの第２ランナ２２０の脱落を防止している。
【００４３】
解除体６４０は、図１０及び図１１（ｂ）に示されるように、その先端が格納ハンガーレール５００ａ方向に突出すると共に、下方に向かうにつれて漸次先細りとなった傾斜部６４２を有する平面視矩形に形成されており、当該傾斜部６４２の中央には円柱部６２２が嵌合可能な切欠部６４４が形成されている。本実施形態においては、解除体６４０は第２ハンガーレール２００’と格納ハンガーレール５００ａとの連結部分における連結部材４００の側方且つ、格納ハンガーレール５００ａのストッパピン６２０と対向する位置に設けられている。
【００４４】
次に、ストッパ装置６００による第２ランナ２２０の脱落防止機能について詳細に説明する。図１２は第３の実施形態に係る移動間仕切り装置が備える第２ハンガーレールと格納ハンガーレールとが連結するに際し、ストッパ装置が有するストッパピンが上方に移動する状態を示す部分縦断面図であり、図１３は第３の実施形態に係る第２ハンガーレールと格納ハンガーレールとが連結し、ストッパピンが上方に移動し終えた状態を示す部分縦断面図である。
【００４５】
図１０に示されるように第２ハンガーレール２００’と格納ハンガーレール５００ａとが連結されていない状態においては、脱落防止機能が働いており、したがってストッパピン６２０により連通孔５０８が閉塞された状態となっている。ここで、第２ハンガーレール２００’と格納ハンガーレール５００ａとを連結するために、格納ハンガーレール５００ａの連通孔５０８と、第２ハンガーレール２００’の連通孔２０８とを対向させて接近させると、格納ハンガーレール５００ａに設けられたストッパピン６２０と、第２ハンガーレール２００’に設けられた解除体６４０の傾斜部６４２先端とが接触することとなる。接触後、更に各レールを接近させることにより、図１２に示されるように解除体６４０の傾斜部６４２先端がストッパピン６２０の拡径部６２４下に進入すると共に、ストッパピン６２０の円柱部６２２が解除体６４０の切欠部６４４に進入し、傾斜部６４２の斜面に沿って拡径部６２４が上昇、即ちストッパピン６２０が上方へ引き抜かれる。
【００４６】
第２ハンガーレール２００’と格納ハンガーレール５００ａとが連結、即ち連通孔２０８と連通孔５０８とが連通すると、図１３に示されるように、解除体６４０上方に拡径部６２４が乗り上げる形となる。これにより、ストッパピン６２０を最も上方に位置付けることができ、第２ランナ２２０が連通孔２０８，５０８を通過可能な状態、換言すれば連通孔５０８の閉塞が解除（脱落防止機能が解除）された状態とすることができる。この状態において、第２ランナ２２０が連通孔２０８，５０８を通過することができるため、格納ハンガーレール５００から第２ハンガーレール２００’に間仕切りパネル３００を移動させること（またはその逆の移動）が可能となる。
【００４７】
一方、レールの連結を解除、即ち各レールを離間させると、ストッパピン６２０が解除体６４０の傾斜部６４２を下るように漸次下降し、再び格納ハンガーレール５００ａの連通孔５０８がストッパピン６２０により閉塞された状態となる。
【００４８】
以上に説明した実施形態によれば、ストッパピン６２０を格納ハンガーレール５００ａに、解除体６４０を第２ハンガーレール２００’にそれぞれ設けることにより、第２ハンガーレール２００’と格納ハンガーレール５００との連結または連結解除に応じて、格納ハンガーレール５００ａに形成された連通孔５０８を開閉可能にすることができる。したがって、格納ハンガーレール５００ａにおける第２ランナ２２０の走行時において、当該ランナの脱落を防止することが可能となる。
【００４９】
なお、本実施形態に係るストッパ装置６００を第１の実施形態において説明したような連結部材４００を用いずに、第１ハンガーレール１００と第２ハンガーレール２００’とを直接連結する場合には、第１ハンガーレール１００と第２ハンガーレール２００’との間に、解除体６４０及び拡径部６２４の高さ方向長さを足し合わせた隙間を設ければよい。
【００５０】
＜第４の実施形態＞
前述した第３の実施形態では、ストッパ装置６００として、第２ハンガーレール２００’に解除体６４０を、格納ハンガーレール５００ａにストッパピン６２０をそれぞれ設け、格納ハンガーレール５００ａからの第２ランナ２２０の脱落を防止するようにした。しかしながら、各レールにそれぞれストッパピン６２０及び解除体６４０を設け、第２ハンガーレール２００’側においても、その連通孔２０８からの第２ランナ２２０の脱落を防止するようにしてもよい。以下、図１４〜図１６を用いて本実施形態に係る移動間仕切り装置について説明する。
【００５１】
図１４は第４の実施形態に係る移動間仕切り装置を室内空間に設けた状態を示す概略平面図であり、図１５は第４の実施形態に係る移動間仕切り装置が備える第２ハンガーレールと格納ハンガーレールとが連結するに際し、ストッパ装置が有するストッパピンが上方に移動する状態を示す部分縦断面図であり、図１６は第４の実施形態に係る第２ハンガーレールと格納ハンガーレールとが連結し、ストッパピンが上方に移動し終えた状態を示す部分縦断面図である。
【００５２】
図１４及び図１５に示されるように、本実施形態に係る移動間仕切り装置４０は、第２ハンガーレール２００’及び格納ハンガーレール５００ａにそれぞれストッパピン６２０及び解除体６４０が設けられる点で、第３の実施形態に係る移動間仕切り装置３０と異なる。格納ハンガーレール５００ａに設けられたストッパピン６２０は、図１４に示されるように、レール幅方向中央から側方にオフセットして設けられており、解除体６４０が隣接して設けられる。一方、第２ハンガーレール２００’においては、ストッパピン６２０がレール幅方向中央に、且つ格納ハンガーレール５００ａに設けられた解除体６４０に対向するよう設けられ、したがってその拡径部６２４が連結部材４００内に位置している（図１５参照）。また、当該ストッパピン６２０に隣接して解除体６４０が、格納ハンガーレール５００ａのストッパピン６２０に対向するよう設けられる。
【００５３】
本実施形態に係る第２ハンガーレール２００’を格納ハンガーレール５００ａに連結する場合、図１５に示されるように、第２ハンガーレール２００’の連通孔２０８と格納ハンガーレール５００ａの連通孔５０８とを対向させて一方のレールを他方のレールに接近させ、格納ハンガーレール５００ａに設けられたストッパピン６２０と、第２ハンガーレール２００に設けられた解除体６４０の傾斜部６４２先端とを接触させる。この時、格納ハンガーレール５００ａに設けられた解除体６４０の傾斜部６４２先端と、第２ハンガーレール２００’に設けられたストッパピン６２０とにおいても接触がなされる。これらの接触後、更に各レールを接近させ、第２ハンガーレール２００’と格納ハンガーレール５００ａとが連結されると、図１６に示されるように、第２ハンガーレール２００’及び格納ハンガーレール５００ａの解除体６４０上に、第２ハンガーレール２００’及び格納ハンガーレール５００ａの拡径部６２４がそれぞれ乗り上げる形となる。これにより、それぞれのストッパピン６２０を最も上方に位置付けることができ、第２ランナ２２０が連通孔２０８，５０８を通過可能な状態、即ち連通孔２０８，５０８の閉塞が解除された状態とすることができる。
【００５４】
以上に説明した実施形態によれば、ストッパピン６２０及び解除体６４０を第２ハンガーレール２００’及び格納ハンガーレール５００ａにそれぞれ設けることにより、各レールに形成された連通孔２０８，５０８をそれぞれ開閉可能にすることができ、第２ハンガーレール２００における第２ランナ２２０の走行時においても、当該ランナの脱落を防止することが可能となる。
【００５５】
＜第５の実施形態＞
上述した第１〜第４の実施形態では、室内空間１を間仕切るために第２ハンガーレール２００または２００’を設けたが、これを延長、即ち更なる空間の間仕切りを行うために第２ハンガーレール２００または２００’に異なるハンガーレールを連結するようにしてもよい。以下、図１７及び図１８を用いて本実施形態に係る移動間仕切り装置について説明する。
【００５６】
図１７は第５の実施形態に係る移動間仕切り装置を室内空間に設けた状態を示す概略平面図であり、図１８は第５の実施形態に係る延長ハンガーレールにのみ間仕切りパネルが吊り下げられた状態を示す概略平面図である。
【００５７】
図１７に示されるように、本実施形態に係る移動間仕切り装置５０は、延長ハンガーレール７００をさらに備える点で、第３の実施形態に係る移動間仕切り装置３０と異なる。延長ハンガーレール７００は、格納ハンガーレール５００と同じ高さとなるように天井面で固定され、第２ハンガーレール２００’及び格納ハンガーレール５００と同様の構成を有しており、したがって、その先端には第２ランナ２２０が通行可能な連通孔が形成されている。延長ハンガーレール７００は、第２ハンガーレール２００’に対し垂直に交わるよう配設されており、その先端と、第２ハンガーレール２００’において延長ハンガーレール７００と連結する部分には、図示しないストッパ装置６００が設けられている。
【００５８】
以上に説明した本実施形態によれば、第２ハンガーレール２００’と延長ハンガーレール７００とを連結することにより、格納ハンガーレール５００から第２ハンガーレール２００を介して延長ハンガーレール７００に間仕切りパネル３００を移動させることができる。そのため、図１７に示されるように、第２ハンガーレール２００’と延長ハンガーレール７００とに間仕切りパネル３００を移動させて室内空間１の間仕切りを細分化させることができる。また、図１８に示されるように延長ハンガーレール７００にのみ間仕切りパネル３００を配置して移動間仕切り装置３０とは異なる間仕切りパターンを実現することもできる。したがって、延長ハンガーレール７００を設けることにより、室内空間１の間仕切りパターンをより多様なものとすることができる。
【００５９】
なお、本実施形態においては１つの延長ハンガーレール７００を設けたが、これを複数設けるようにしてもよく、レールの形状を曲線や階段状等に配設するようにしてもよい。これは第１ハンガーレール１００、第２ハンガーレール２００、格納ハンガーレール５００においても同様である。
【００６０】
＜第６の実施形態＞
前述した第５の実施形態では、延長ハンガーレール７００を天井面で固定したが、これに限定されるものではなく、第２ハンガーレール２００’と同様に移動可能に設けるようにしてもよい。以下、図１９を用いて本実施形態に係る移動間仕切り装置について説明する。
【００６１】
図１９は、第６の実施形態に係る移動間仕切り装置を室内空間に設けた状態を示す概略平面図である。図１９においては、説明上間仕切りパネル３００、格納ハンガーレール５００、及び当該レールに対応するストッパ装置６００を図示していない。
【００６２】
図１９に示されるように、本実施形態に係る移動間仕切り装置６０は、一対の第１ハンガーレール１００’をさらに備えると共に、第２ハンガーレール２００’に代わり第２ハンガーレール２００’’を備える点で第５の実施形態に係る移動間仕切り装置５０と異なる。
【００６３】
一対の第１ハンガーレール１００’は、第１ハンガーレール１００と同一構成のものであり、所定の距離互いに離間して第１ハンガーレール１００に対して直交するよう当該レールの一方側に連結されており、各第１ハンガーレール１００，１００’の内部空間１０２が連通している。この一対の第１ハンガーレール１００’のそれぞれには、内部に第１ランナ１２０が走行可能に設けられており、この第１ランナ１２０が連結部材４００を介して第４のハンガーレール７００を吊り下げ支持している。この第１ランナ１２０と、連結部材４００と、延長ハンガーレール７００との連結方法は、第１ランナ１２０と、連結部材４００と、第２ハンガーレール２００との連結方法と同様であるため、ここでの説明は省略する。第１ランナ１２０により吊り下げ支持されることにより、延長ハンガーレール７００は第１ハンガーレール１００’の延在方向に移動可能となっている。
【００６４】
第２ハンガーレール２００’’は、延長ハンガーレール７００と連結する箇所に、延長ハンガーレール７００側に突き出て当該レールと連結可能な連結突部２１０が設けられている。この連結突部２１０は、その内部構造が第２ハンガーレール２００’と同一であり、その先端に連通孔２０８が形成されている。また、連結突部２１０は上述した第４の実施形態と同様に、ストッパピン６２０と解除体６４０（不図示）がそれぞれ設けられており、第２ランナ２２０の脱落が防止されている。
【００６５】
以上に説明した本実施形態によれば、一対の第１ハンガーレール１００’により延長ハンガーレール７００が移動可能に吊り下げ支持されているため、間仕切りパネル３００を吊り下げ支持した状態で移動することができ、間仕切りパターンをより多様なものとすることができる。また、第２ハンガーレール２００’’に連結突部２１０が設けられ、これにストッパピン６２０設けられているため、ストッパピン６２０が連結突部２１０の連通孔２０８を閉塞した状態であっても、第２ハンガーレール２００’’内における第２ランナ２２０の走行が阻害されることはない。
【００６６】
また、一対の第１ハンガーレール１００’は、一対の第１ハンガーレール１００と連結されているため、第２ハンガーレール２００’’も進入可能となっている。したがって、第１ハンガーレール１００’は、第２ハンガーレール２００’’を吊り下げ支持することもでき、そのような場合には室内空間１を斜めに間仕切るようにすることも可能である。
【００６７】
なお、ここでの連結突部２１０は、第２〜第５の実施形態に係る移動間仕切り装置２０〜５０の第２ハンガーレール２００’に設けるようにしてもよい。また、格納ハンガーレール５００を一対の第１ハンガーレール１００’により移動可能に吊り下げ支持するようにしてもよい。
【００６８】
本発明は、その要旨または主要な特徴から逸脱することなく、他の様々な形で実施することができる。そのため、前述の第１〜第６の実施形態は、あらゆる点で単なる例示に過ぎず、限定的に解釈してはならない。本発明の範囲は、特許請求の範囲によって示すものであって、明細書本文には、何ら拘束されない。更に、特許請求の範囲の均等範囲に属する全ての変形、様々な改良、代替および改質は、全て本発明の範囲内のものである。
【符号の説明】
【００６９】
１０，２０，３０，４０，５０，６０  移動間仕切り装置
１００，１００’  第１ハンガーレール（第１レール，第４レール）
１２０  第１ランナ
２００，２００’，２００’’  第２ハンガーレール（第２レール）
２０８  連通孔
２２０  第２ランナ
３００  間仕切りパネル（パネル）
４００  連結部材
５００，５００ａ  格納ハンガーレール（第３レール）
５０８  連通孔
６００  ストッパ装置（開閉体、開放体）
６２０  ストッパピン（開閉体）
６２４  拡径部（突出部）
６４０  解除体（開放体）
６４２  傾斜部
７００  延長ハンガーレール（第３レール）
【図１】
2019105068.tif 000003
【図２】
2019105068.tif 000004
【図３】
2019105068.tif 000005
【図４】
2019105068.tif 000006
【図５】
2019105068.tif 000007
【図６】
2019105068.tif 000008
【図７】
2019105068.tif 000009
【図８】
2019105068.tif 000010
【図９】
2019105068.tif 000011
【図１０】
2019105068.tif 000012
【図１１】
2019105068.tif 000013
【図１２】
2019105068.tif 000014
【図１３】
2019105068.tif 000015
【図１４】
2019105068.tif 000016
【図１５】
2019105068.tif 000017
【図１６】
2019105068.tif 000018
【図１７】
2019105068.tif 000019
【図１８】
2019105068.tif 000020
【図１９】
2019105068.tif 000021